(57)【特許請求の範囲】
【請求項１】
案内部分及び前記案内部分から延長される延長部分を有する分配本体と、前記分配本体が、前記案内部分の端部に設けられたノズルをさらに備えることと；
水コントロールと
を備える、水分配装置であって、前記水コントロールは、
前記分配本体の前記延長部分中に移動可能に配設された制御バルブと、前記制御バルブが、水封部材と、前記制御バルブの中心に対して偏心して配置されたプッシャ部材とを備えることと；
前記案内部分において支持される作動部材と、前記作動部材が、前記作動部材の後端において形成される案内スロットを有することと、前記プッシャ部材は、前記プッシャ部材が前記案内スロットに沿って摺動するように適応されるように、前記案内スロットと摺動可能に係合されることと；
前記分配本体の前記延長部分内で回転するように前記制御バルブを駆動するために前記制御バルブに結合された制御ユニットと；
を備え、
前記制御バルブが回転するように駆動されたとき、前記プッシャ部材は、前記制御バルブのオン及びオフを切り替えるためだけでなく前記ノズルの異なる水噴霧パターンを制御可能にシフトするためにも、前記ノズルの異なるロケーションにおいて前記作動部材を往復移動させるために前記案内スロットに沿って摺動される、
水分配装置。
【請求項２】
前記水封部材は、前記水封部材と前記プッシャ部材との間にバルブ開口部分を画成するために、前記プッシャ部材と反対の位置における前記制御バルブの周縁端部分において形成される、請求項１に記載の水分配装置。
【請求項３】
前記プッシャ部材は棒形状を有する、請求項１に記載の水分配装置。
【請求項４】
案内部分及び前記案内部分から延長される延長部分を有する分配本体と、前記分配本体が、前記案内部分の端部に設けられたノズルをさらに備えることと；
水コントロールと
を備える、水分配装置であって、前記水コントロールは、
前記分配本体の前記延長部分中に移動可能に配設された制御バルブと、前記制御バルブが、水封部材と、前記制御バルブの中心に対して偏心して配置されたプッシャ部材とを備えることと；
前記案内部分において支持される作動部材と、前記作動部材が、前記作動部材の後端において形成される案内スロットを有することと、前記プッシャ部材は、前記プッシャ部材が前記案内スロットに沿って摺動するように適応されるように、前記案内スロットと摺動可能に係合されることと；
前記分配本体の前記延長部分内で回転するように前記制御バルブを駆動するために前記制御バルブに結合された制御ユニットと；
を備え、
前記制御バルブが回転するように駆動されたとき、前記プッシャ部材は、前記作動部材の往復移動と前記制御バルブの回転運動とを通して、前記水コントロールが、前記制御バルブのオン及びオフを切り替えるためだけでなく前記ノズルの異なる水噴霧パターンを制御可能にシフトするためにも動作させられるように、前記作動部材の先頭部分が前記ノズルから離れて移動されるか、前記作動部材の前記先頭部分が前記ノズル中に移動されるか、又は前記作動部材の前記先頭部分が前記ノズルを通って移動される異なるロケーションの間で前記作動部材を往復移動させるために前記案内スロットに沿って摺動される、
水分配装置。
【請求項５】
ハンドル部分と、案内部分と、前記ハンドル部分と前記案内部分との間で延長される延長部分と、前記ハンドル部分に設けられた入口チャネルと、前記延長部分において形成される受け入れ穴と、前記案内部分に設けられた出口チャネルとを有する分配本体と、前記受け入れ穴が、前記入口チャネル及び前記出口チャネルと連通することと、前記分配本体が、前記出口チャネルと連通するために前記案内部分に設けられたノズルをさらに備えることと；
第１の制御側及び第２の制御側を有する制御ユニットと；
前記受け入れ穴中に移動可能に配設された制御バルブと、前記制御バルブの２つの側部が、それぞれ前記制御ユニットの前記第１の制御側及び前記第２の制御側において結合されることと、前記制御バルブが、水封部材と、前記制御バルブの中心に対して偏心して配置されたプッシャ部材とを備えることと；
前記出口チャネルに沿って摺動自在に結合される作動部材と、前記作動部材は、前方作動端と、後方作動端と、前記前方作動端において画成される拡張先頭部分とを有することと、前記作動部材は、前記先頭部分から後方に延長される伸長本体を有することと、前記作動部材の前記後方作動端は、前記制御ユニットが移動するように駆動されたとき、前記作動部材の往復移動と前記制御バルブとの回転運動を通して、前記水コントロールが、前記制御バルブのオン及びオフを切り替えるためだけでなく前記ノズルの異なる水噴霧パターンを制御可能にシフトするためにも動作させられるように、前記作動部材の前記先頭部分が前記ノズルから離れて移動されるか、前記作動部材の前記先頭部分が前記ノズル中に移動されるか、又は前記作動部材の前記先頭部分が前記ノズルを通って移動される異なるロケーションの間で前記制御バルブが前記作動部材を往復移動させるために対応して回転される様式で前記プッシャ部材において結合されることと
を備える、水分配装置。
【請求項６】
前記プッシャ部材は、前記プッシャ部材の２つの端部がそれぞれ前記制御バルブの前記２つの側部において結合されるように、棒形状を有する、請求項５に記載の水分配装置。
【請求項７】
水分配装置であって、
ハンドル部分と、前記ハンドル部分から延長される延長部分と、前記ハンドル部分に設けられた入口チャネルと、前記延長部分において形成される受け入れ穴と、出口チャネルとを有する分配本体と、前記受け入れ穴が、前記入口チャネル及び前記出口チャネルと連通することと、前記分配本体が、前記出口チャネルと連通しているノズルをさらに備えることと；
前記受け入れ穴中に移動可能に配設された制御バルブと、前記制御バルブが、水封部材と、前記制御バルブの中心に対して偏心して配置されたプッシャ部材とを備えることと；
前記プッシャ部材を振り子経路中で往復移動させるために前記受け入れ穴内で回転するように前記制御バルブを駆動するために前記制御バルブに結合された制御ユニットと；
前記出口チャネルに沿って摺動自在に結合される作動部材と、前記作動部材が、前記ノズルのほうへ延長される前方作動端と、前記プッシャ部材において結合される後方作動端とを有することと、前記制御ユニットが移動するように駆動されたとき、前記作動部材の往復移動と前記制御バルブの回転運動とを通して、前記水コントロールが、前記制御バルブのオン及びオフを切り替えるためだけでなく前記ノズルの異なる水噴霧パターンを制御可能にシフトするためにも動作させられるように、前記作動部材の前記前方作動端が前記ノズルから離れて移動されるか、前記作動部材の前記前方作動端が前記ノズル中に移動されるか、又は前記作動部材の前記前方作動端が前記ノズルを通って移動される異なるロケーションの間で前記制御バルブが前記作動部材を往復移動させるために対応して回転されることと
を備える、水分配装置。
【請求項８】
前記プッシャ部材は棒形状を有する、請求項７に記載の水分配装置。
【発明の詳細な説明】
【技術分野】
【０００１】
著作権の表示
本特許文献の開示の一部分は、著作権保護を受ける資料を含んでいる。著作権所有者は、米国特許商標局の特許ファイル又は記録に現れているように誰でも本特許開示を複製することに異議はないが、それ以外の一切のあらゆる著作権を確保する。
【０００２】
本発明は、水分配装置に関し、より詳細には、ユーザが１つの手で操作可能な様式で水分配装置の様々な動作を容易に制御することが可能であるように、水分配装置のオン及びオフを切り替えるためだけでなく、異なる水噴霧パターンを制御可能にシフトするためにも往復運動的に作動させられる作動部材を備える、水分配装置のコントローラに関する。
【背景技術】
【０００３】
従来の水分配装置は、概して、水分配装置をオン又はオフすることを選択的に制御するためにのみバルブ制御が動作させられ得るという、単一の通例の機能とともに提供されるバルブ制御を備える。一方、水分配装置は、水分配装置の様々な水噴霧パターンをシフトすることを制御するための噴霧制御部材をさらに備える。言い換えれば、ユーザは、水分配装置の異なる操作のためにバルブ制御及び噴霧制御を個々に操作しなければならない。
【発明の概要】
【発明が解決しようとする課題】
【０００４】
したがって、本発明は、水分配装置の既存の問題を解決し、本発明の制御は、ユーザが１つの手で操作可能な様式で水分配装置の様々な動作を容易に制御することが可能であるように、水分配装置のオン及びオフを切り替えるためだけでなく、異なる水噴霧パターンを制御可能にシフトするためにも、単一の操作アクションを必要とする。
【課題を解決するための手段】
【０００５】
本発明は、噴霧又は灌漑するために水を案内するための水ホースを介して水源に接続するように適応された本発明の水分配装置を提供するという点で有利である。特に、本発明の水分配装置は、様々な水噴霧パターンを提供する。本発明によれば、上記及び他の目的及び利点は、分配本体を備える、水分配装置によって達成される。分配本体は、ハンドル部分と、案内部分と、ハンドル部分と案内部分との間で一体的に延長される延長部分とを有する。分配本体は、水源に接続するためにハンドル部分に設けられた入口チャネルと、入口チャネルから出口チャネルに流れるように水を案内するために案内部分に設けられた出口チャネルとをさらに有する。分配本体は、延長部分に設けられた受け入れ穴をさらに備え、受け入れ穴は、入口チャネルに連通可能にリンクされた水入口端部と、出口チャネルに連通可能にリンクされた水出口端部とを有する。
【０００６】
分配本体は、ノズルと、出口チャネルの前方開口端部に連信可能にリンクするためのノズル穴中にノズルを受け入れるために案内部分に形成されるノズル穴とをさらに備える。したがって、ノズル穴の直径サイズはノズルの直径サイズよりも大きい。
【０００７】
水分配装置は、延長部分において受け入れ穴中に移動可能に配設された制御バルブと、手動で作動されるために配置された制御ユニットと、作動部材とをさらに備える。制御ユニットは、制御バルブを同期的に作動させるために作動部材に応答して動作される。制御ユニットは第１の制御側及び第２の制御側を有する。制御バルブは第１のホイール軸及び第２のホイール軸を備える。制御バルブは水封部材及びプッシャ部材をさらに有する。制御バルブは、制御ユニットによって受け入れ穴内で回転するように駆動される。作動部材は、ノズル穴のほうへ延長される前方作動端と、後方作動端と、後方作動端に形成される案内スロットとを有し、プッシャ部材は案内スロットと摺動可能に係合される。制御ユニットが手動で作動させられて、対応して回転するように制御バルブが駆動されたとき、作動部材は前後に移動するように駆動される。先頭部分が受け入れ穴に入るか、ノズルに入るか、又は受け入れ穴から引き出される異なるロケーションにおいて作動部材の先頭部分を駆動することによって、ユーザは、制御ユニットの単一の連続アクションを介して、制御バルブのオン及びオフを切り替えるためだけでなく、ノズルの異なる水噴霧パターンを制御可能にシフトするためにも、水分配装置を選択的に動作させることができる。
【０００８】
本発明のこれら及び他の目的、特徴、及び利点は、以下の詳細な説明、添付の図面、及び添付の特許請求の範囲から明らかになろう。
【図面の簡単な説明】
【０００９】
【図１】本発明の好ましい実施形態による水分配装置の分解斜視図である。
【図２】本発明の上記の好ましい実施形態による水分配装置の制御の拡大斜視図である。
【図３】本発明の上記の好ましい実施形態による水分配装置の断面図である。
【図４】本発明の上記の好ましい実施形態による水分配装置の部分断面図である。
【図５】第１の位置における作動部材を示す、本発明の上記の好ましい実施形態による水分配装置の断面図である。
【図６】第２の位置における作動部材を示す、本発明の上記の好ましい実施形態による水分配装置の断面図である。
【図７】第３の位置における作動部材を示す、本発明の上記の好ましい実施形態による水分配装置の断面図である。
【図８】第１の位置における作動部材を示す、本発明の第２の好ましい実施形態による水分配装置の断面図である。
【図９】第２の位置における作動部材を示す、本発明の第２の好ましい実施形態による水分配装置の断面図である。
【図１０】第３の位置における作動部材を示す、本発明の第２の好ましい実施形態による水分配装置の断面図である。
【図１１】第４の位置における作動部材を示す、本発明の第２の好ましい実施形態による水分配装置の断面図である。
【発明を実施するための形態】
【００１０】
いかなる当業者でも本発明を製作し使用することを可能にするために、以下の説明が開示される。以下の説明では好ましい実施形態が例のみとして提供され、当業者には修正形態が明らかであろう。以下の説明において定義される一般的原理は、本発明の趣旨及び範囲から逸脱することなく他の実施形態、代替形態、修正形態、等価物、及び適用例に適用され得る。
【００１１】
以下に示された図の助けを用いて、本発明を審査官がさらに理解するために、本発明の技法、特徴、及び実施形態の内容について本明細書で説明する。
【００１２】
本発明の十分な理解のために、以下で、詳細な説明のために好ましい実施形態及び対応する図を提供する。本発明の好ましい実施形態の対応する図も、当業者が本明細書に基づいて本発明を実装するのを助けるために、さらなる例示のために適用されるが、これらは、本発明の範囲を限定するために使用されるべきではない。
【００１３】
図面の図１〜図７を参照すると、本発明の好ましい実施形態による水分配装置が示されており、水分配装置は、ハンドル部分１１と、案内部分１２と、ハンドル部分１１と案内部分１２との間で一体的に延長される延長部分１４とを有する分配本体１を備える。好ましくは、延長部分１４は、ハンドル部分１１から案内部分１２が角度的に延長されるように、角度付き部分である。分配本体１は、水源に接続するためにハンドル部分１１に設けられた入口チャネル１１ａと、入口チャネル１１ａから出口チャネル１２ａに流れるように水を案内するために案内部分１２に設けられた出口チャネル１２ａとをさらに有する。分配本体１は、出口チャネル１２ａにおいてそれの前方開口端部において結合される水ノズル１３２をさらに備える。分配本体１は、延長部分１４に設けられた受け入れ穴１５をさらに備え、受け入れ穴１５は、水が入口チャネル１１ａから出口チャネル１２ａまで受け入れ穴１５を通過することができるように、入口チャネル１１ａに連通可能にリンクされる水入口端部１１ｂと、出口チャネル１２ａに連通可能にリンクされる水出口端部１２ｂとを有する。分配本体１は、出口チャネル１２ａの前方開口端部に連信可能にリンクするためのノズル穴１３１中にノズル１３２を受け入れるために案内部分１２に形成されるノズル穴１３１をさらに有する。したがって、ノズル穴１３１の直径サイズはノズル１３２の直径サイズよりも大きい。
【００１４】
水分配装置は、延長部分１４において受け入れ穴１５中に移動可能に配設された制御バルブ３と、制御ユニット２と、作動部材５とをさらに備える。制御ユニット２は、制御バルブ３を同期的に作動させるために作動部材５に応答して動作される。制御ユニット２は第１の制御側２２及び第２の制御側２３を有する。制御ユニット２は、第１の制御側２２において形成される第１のホール２２１と、第２の制御側２３において形成される第２のホール２３１とをさらに有する。特に、制御バルブ３は、受け入れ穴１５中に回転可能に配設され、作動部材５によって回転するように駆動されるように配置される。制御バルブ３は、互いに平行に延長される、第１のサイドホイール３１１及び第２のサイドホイール３１２を備える。制御バルブ３は、第１のサイドホイール３１１の外側から外側に及び同軸に延長される第１のホイール軸３２１と、第２のサイドホイール３１２の外側から外側に及び同軸に延長される第２のホイール軸３２２とをさらに備える。制御バルブ３は、第１のサイドホイール３１１の内側から外側に及び偏心して延長される第１のスリーブ部材３１１ａと、第２のサイドホイール３１２の内側から外側に及び偏心して延長される第２のスリーブ部材３１２ａとをさらに備え、第１のスリーブ部材３１１ａ及び第２のスリーブ部材３１２ａは、互いに離間して端部間で整合される。制御バルブ３は、水封部材３３と、プッシャ部材３５と、バルブ開口部分３４をさらに有し、これらの部材は第１のサイドホイール３１１と第２のサイドホイール３１２との間に設けられる。それに応じて、水封部材３３は、第１のサイドホイール３１１と第２のサイドホイール３１２との周縁端部分の間で延長された、湾曲した平面構成を有する。プッシャ部材３５は、第１のサイドホイール３１１と第２のサイドホイール３１２との間で偏心して延長され、プッシャ部材３５は水封部材３３の反対側に配置される。好ましくは、プッシャ部材３５は第１のスリーブ部材３１１ａと第２のスリーブ部材３１２ａとの間で延長される。バルブ開口部分３４は、第１のサイドホイール３１１と第２のサイドホイール３１２との間の空間において、及び水封部材３３とプッシャ部材３５との間の空間において画成される。好ましくは、プッシャ部材３５は、プッシャ部材３５の２つの端部がそれぞれ第１のサイドホイール３１１及び第２のサイドホイール３１２において結合される、伸長棒形状を有する。それに応じて、第１のホイール軸３２１は、それの円周面から一体的に突出した第１の突出部３２１１を有し、第２のホイール軸３２２は、それの円周面から一体的に突出した第２の突出部３２２１を有する。水封部材３３の形状は、水入口１１ｂと整合するように構成され、水封部材３３のサイズは、制御バルブ３が水入口１１ｂにおいて水封部材３３を移動させるように作動されたとき、水封部材３３が水入口１１ｂから水を遮断するために水入口１１ｂを水封することができるように、水入口１１ｂの開口サイズよりも大きい。
【００１５】
作動部材５は、出口チャネル１２ａに沿って移動可能に延長される。作動部材５は、前方作動端５１と、後方作動端５２と、前方作動端５１において画成される拡張先頭部分５１１とを有し、先頭部分５１１は、そこにおいて画成される正表面５１１ａを有する。それに応じて、作動部材５は、裏表面５１１ａから後方に延長される伸長本体と、後方作動端５２から伸長本体まで前方に延長される拡張平坦本体を有する。先頭部分５１１のサイズは伸長本体の直径サイズよりも大きい。平坦本体は、２つの平坦な拡張側表面を画成する平面構成を有する。作動部材５は、平坦本体上の後方作動端５２において形成される傾斜案内スロット５２１をさらに有し、傾斜案内スロット５２１を通してプッシャ部材３５が延長される。好ましくは、傾斜案内スロット５２１は直線の伸張スロットである。言い換えれば、傾斜案内スロット５２１は、プッシャ部材３５が、傾斜案内スロット５２１を介して平坦本体の一方の平坦な拡張側表面から他方の平坦な拡張側表面に通過することができるように、平坦本体上に形成されるスルースロットである。      作動部材５の前方作動端５１はノズル穴１３１の近くに延長される。作動部材５の前方作動端５１の幅は、ノズル穴１３１のボアサイズと、ノズル１３２のボアサイズとよりも小さい。作動部材５の後方作動端５２は、傾斜案内スロット５２１を介してプッシャ部材３５において結合される。作動部材５の前方作動端５１は、出口チャネル１２ａからノズル１３２への方向に延長される。作動部材５の後方作動端５２は、出口チャネル１２ａから制御バルブ３への方向に延長される。プッシャ部材３５は、作動部材５を移動させるために傾斜案内スロット５２１に沿って摺動するように駆動されることは、言及に値する。
【００１６】
作動部材５を往復移動させるための傾斜案内スロット５２１に沿ったプッシャ部材３５の摺動移動をより良く理解するために、傾斜案内スロット５２１は、傾斜案内スロット５２１の１つの端部における第１の案内領域５２１ａと、第２の案内領域５２１ｂと、傾斜案内スロット５２１の反対の端部における第３の案内領域５２１ｃとを画成し、第２の案内領域５２１ｂは、第１の案内領域５２１ａと第３の案内領域５２１ｃとの間に形成される。
【００１７】
その上、第１の案内領域５２１ａ、第２の案内領域５２１ｂ、又は第３の案内領域５２１ｃのいずれかにおいて移動されるプッシャ部材３５のロケーションは、一例としてプッシャ部材３５の摺動移動のみを示しており、第１の案内領域５２１ａ、第２の案内領域５２１ｂ、及び第３の案内領域５２１ｃの構成は本発明に従って限定されるべきではない。
【００１８】
水分配装置は、制御ユニット２を制御バルブ３と結合するための結合ユニットをさらに備える。結合ユニットは、第１の結合キャップ４１と、第２の結合キャップ４２と、第１の結合キャップ４１から延長される第１の結合シャフト４１１と、第２の結合キャップ４２から延長される第２の結合シャフト４２１とを備える。結合ユニットは、第１の結合シャフト４１１において形成される第１の係合スロット４１２と、第２の結合シャフト４２１において形成される第２の係合スロット４２２とをさらに有する。
【００１９】
水分配装置のアセンブル構造は以下のように示される。作動部材５は、作動部材５の後方作動端５２が延長部分１４の受け入れ穴１５中に延長される位置において出口チャネル１２ａにおいて配置される。制御バルブ３は延長部分１４の受け入れ穴１５中に配設され、プッシャ部材３５は、作動部材５の後方作動端５２において傾斜案内スロット５２１を介して通過される。次いで、第１のサイドホイール３１１と第２のサイドホイール３１２とが互いに結合されて、第１のスリーブ部材３１１ａと第２のスリーブ部材３１２ａとの間でプッシャ部材３５が結合される。第１のホイール軸３２１及び第２のホイール軸３２２が、それぞれそれらの制御ユニット２の第１の制御側２２の第１のホール２２１、及び第２の制御側２３の第２のホール２３１を通って延長される。したがって、第１の結合シャフト４１１は、第１の結合キャップ４１と第１のサイドホイール３１１との間に制御ユニット２の第１の制御側２２をはさむように第１のホイール軸３２１において結合され、一方、第２の結合シャフト４２１は、第２の結合キャップ４２と第２のサイドホイール３１２との間に制御ユニット２の第２の制御側２３をはさむように第２のホイール軸３２２において結合される。したがって、第１のホイール軸３２１の第１の突出部３２１１は第１の係合スロット４１２と係合され、一方、第２のサイドホイール３２２の第２の突出部３２２１は第２の係合スロット４２２と係合されて、制御バルブ３、制御ユニット２、及び作動部材５が互いにロックアップされ、このようにして本発明のアセンブル操作が完了する。
【００２０】
水分配装置の動作は以下のように示される。制御バルブ３が回転するように駆動されたとき、プッシャ部材３５が対応して移動される。特に、プッシャ部材３５は制御バルブにおいて偏心して結合されるので、プッシャ部材３５は、プッシャ部材３５の往復移動経路が振り子経路である位置において制御バルブ３の中心の周りを回転するように駆動される。プッシャ部材３５の摺動移動は傾斜案内スロット５２１の長さによって制限される。制御ユニット２が移動するように作動されたとき、制御バルブ３は、対応して回転するように駆動されて、傾斜案内スロット５２１に沿ってプッシャ部材３５が摺動するように駆動される。傾斜案内スロット５２１は作動部材５の前方作動端５１に前方に傾斜されるので、プッシャ部材３５は傾斜案内スロット５２１に沿って摺動されて、作動部材５が前後に移動される。さらに、傾斜案内スロット５２１の傾斜も、プッシャ部材３５を傾斜案内スロット５２１の１つの位置に一時的に保つことによって、作動部材５を所望の位置に一時的に保持することができる。
【００２１】
図５〜図７は、閉位置と開位置との間の水分配装置を示す。より良い理解のために、制御ユニット２の移動経路が点Ａ、点Ｂ、及び点Ｃで定義される。図５に示されているように、制御ユニットが点Ｃにおいて手動で移動されたとき、制御バルブ３は、プッシャ部材３５が傾斜案内スロット５２１の第１の案内領域５２１ａにおいて摺動される位置において対応して移動するように駆動される。その結果、作動部材５は後方に駆動されて、それの先頭部分５１１は、ノズル穴１３１から離れて後方へ又はノズル穴１３１の後部部分において移動される。同時に、制御バルブ３の密封部材３３は、水入口１１ｂを密封し閉じるように移動されて、水分配装置はオフに切り替えられる。
【００２２】
図６に示されているように、制御ユニットが点Ｃから点Ｂに手動で移動されたとき、制御バルブ３は、プッシャ部材３５が傾斜案内スロット５２１の第１の案内領域５２１ａから第２の案内領域５２１ｂに摺動される位置において対応して移動するように駆動される。その結果、作動部材５は前方に駆動されて、それの先頭部分５１１は前方にノズル１３２に移動される。それに応じて、作動部材５の先頭部分５１１はノズル１３２の内部リムから離間されて、それらの間にギャップが画成される。特に、作動部材５の先頭部分５１１の前縁は、同じ水平レベルにおいてノズル１３２の前方リムと整合される。同時に、水入口１１ｂは、水入口１１ｂの一部分が制御バルブ３の密封部材３３によって密封され遮断されるように、制御バルブ３の密封部材３３によって部分的にカバーされ、一方、水入口１１ｂの一部分は制御バルブ３のバルブ開口部分３４と連通する。したがって、水は、結果的に、水入口１１ｂからバルブ開口部分３４へ、ノズル穴１３１へ、そしてノズル１３２へと通るように案内される。水は、次いで、作動部材５の先頭部分５１１とノズル１３２との間のギャップを通って水分配装置から噴霧するように案内される。それに応じて、水は、直線噴霧モードで噴霧するように案内される。作動部材５の先頭部分５１１がノズル１３２内で移動されたとき、水は、水の量が比較的より大きい直線噴霧モードで噴霧するように依然として案内されることは、言及に値する。この理由は、作動部材５の先頭部分５１１がノズル１３２内で移動されたとき、制御バルブ３の密封部材３３が移動されて、水入口１１ｂが完全に開かれるからである。
【００２３】
図７に示されているように、制御ユニットが点Ｂから点Ｃに手動で移動されたとき、制御バルブ３は、プッシャ部材３５が傾斜案内スロット５２１の第２の案内領域５２１ｂから第３の案内領域５２１ｃに摺動される位置において対応して移動するように駆動される。その結果、作動部材５は前方に駆動されて、それの先頭部分５１１はノズル１３２中に移動される。特に、作動部材５の先頭部分５１１は、ノズル１３２を通ってそれの前端に延長される。同時に、制御バルブ３の密封部材３３はすでに移動されて水入口１１ｂは完全に開かれており、したがって、水入口１１ｂは完全に開いた状態にある。したがって、水は、結果的に、入口チャネル１１ａから水入口１１ｂへ、バルブ開口部分３４へ、出口チャネル１２ａへ、そしてノズル穴１３１へと通るように案内される。それに応じて、水の流れる方向は、作動部材５の先頭部分５１１の裏表面５１１ａに当たることになり、したがって、水は、次いで、放射状に拡散され、ノズル１３２から噴霧される。それに応じて、水は、放射状噴霧モードで噴霧するように案内される。
【００２４】
ユーザは、噴霧操作の水量を選択的に調整するために、点Ａと点Ｂとの間の、又は点Ｃから点Ｂまでの間のどの点においても制御ユニット２を移動することが可能であることは、言及に値する。言い換えれば、ユーザは、点Ａと点Ｃとの間の制御ユニット２の単一の連続アクションを介して、制御バルブ３のオン及びオフを切り替えること、ならびに異なる水量をもつ異なる噴霧パターンを選択的にシフトすることが可能である。
【００２５】
図８に示されているように、第２の実施形態による水分配装置は、傾斜案内スロット５２１の代替モードを示している。制御ユニット２が、同時に移動するように制御バルブ３を駆動するように手動で作動される。密封部材３３が、制御バルブ３の周縁において形成される。プッシャ部材３５が、制御バルブ３において偏心して設けられる。バルブ開口部分３４が、プッシャ部材３５と密封部材３３との間の制御バルブ３内に画成される。水封部材３３の形状は、水入口１１ｂと整合するように構成され、水封部材３３のサイズは、制御バルブ３が水入口１１ｂにおいて水封部材３３を移動させるように作動されたとき、水封部材３３が水入口１１ｂから水を遮断するために水入口１１ｂを水封することができるように、水入口１１ｂの開口サイズよりも大きい。
【００２６】
さらに、作動部材５が、出口チャネル１２ａにおいて移動可能に結合される。作動部材５は、前方作動端５１と、後方作動端５２と、前方作動端５１において画成される拡張先頭部分５１１とを有し、先頭部分５１１は、そこにおいて画成される正表面５１１ａを有する。それに応じて、作動部材５は、裏表面５１１ａから後方に延長される伸長本体と、後方作動端５２から伸長本体まで前方に延長される拡張平坦本体を有する。先頭部分５１１のサイズは伸長本体の直径サイズよりも大きい。平坦本体は、２つの平坦な拡張側表面を画成する平面構成を有する。傾斜案内スロット５２１が、平坦本体上の後方作動端５２において形成され、後方に延長され、傾斜案内スロット５２１を通ってプッシャ部材３５が延長される。言い換えれば、傾斜案内スロット５２１は、プッシャ部材３５が、傾斜案内スロット５２１を介して平坦本体の一方の平坦な拡張側表面から他方の平坦な拡張側表面に通過することができるように、平坦本体上に形成されるスルースロットである。      作動部材５の前方作動端５１はノズル穴１３１の近くに延長される。作動部材５の前方作動端５１の幅は、ノズル穴１３１のボアサイズと、ノズル１３２のボアサイズとよりも小さい。作動部材５の後方作動端５２は、傾斜案内スロット５２１を介してプッシャ部材３５において結合される。作動部材５の前方作動端５１は、出口チャネル１２ａからノズル１３２への方向に延長される。作動部材５の後方作動端５２は、出口チャネル１２ａから制御バルブ３への方向に延長される。プッシャ部材３５は、作動部材５を移動させるために傾斜案内スロット５２１に沿って摺動するように駆動されることは、言及に値する。
【００２７】
より良い理解のために、傾斜案内スロット５２１は、傾斜案内スロット５２１の１つの端部における第１の案内領域５２１ａと、第２の案内領域５２１ｂと、第３の案内領域５２１ｃと、傾斜案内スロット５２１の反対の端部における第４の案内領域５２１ｄを画成し、第２の案内領域５２１ｂ及び第３の案内領域５２１ｃは、第１の案内領域５２１ａと第４の案内領域５２１ｄとの間に形成される。図８に示されているように、作動部材５が前方に移動されてノズル１３２中に入ったとき、作動部材５の先頭部分５１１は、作動部材５の先頭部分５１１がノズル１３２の前方リム１３２ａに近い位置においてノズル１３２の前面から前方に突出される。同時に、制御バルブ３の密封部材３３は、水入口１１ｂを密封し閉じるように移動されて、水分配装置はオフに切り替えられる。プッシャ部材３５は、図８に示されているように、傾斜案内スロット５２１の第１の案内領域５２１ａにおいて移動されることは、言及に値する。
【００２８】
図９に示されているように、制御ユニット２が、傾斜案内スロット５２１の第１の案内領域５２１ａから第２の案内領域５２１ｂにプッシャ部材３５を摺動するように作動されたとき、作動部材５は後方に駆動されて、それの先頭部分５１１は、作動部材５の先頭部分５１１がノズル１３２のノズルチャネル１３２ｃに近い位置においてノズル１３２から後方へ移動される。それに応じて、作動部材５の先頭部分５１１とノズル１３２の前方リムとの間にギャップが形成される。同時に、水入口１１ｂは、水入口１１ｂの比較的小さい部分が制御バルブ３の密封部材３３によって密封され遮断されるように、制御バルブ３の密封部材３３によって部分的にカバーされ、一方、水入口１１ｂの比較的大きい部分は、制御バルブ３のバルブ開口部分３４と連通して、バルブ開口部分３４に入る水量が増加する。したがって、結果的に、比較的大きい量の水が、入口チャネル１１ａから、バルブ開口部分３４へ、出口チャネル１２ａへ、そしてノズル穴１３１へと流れるように案内される。それに応じて、水は、大型放射状噴霧モードで噴霧するように案内される。
【００２９】
図１０に示されているように、制御ユニット２が、傾斜案内スロット５２１の第３の案内領域５２１ｃにプッシャ部材３５を摺動するように作動されたとき、作動部材５は後方に駆動されて、それの先頭部分５１１は、作動部材５の先頭部分５１１がノズル１３２の中間セクション１３２ｂに配置される位置においてノズル１３２から後方へ移動される。ノズル１３２の中間セクション１３２ｂは、ノズル１３２の前方リム１３２ａと、ノズル１３２のノズルチャネル１３２ｃとの間に画成される。同時に、水入口１１ｂは、水入口１１ｂの比較的大さい部分が制御バルブ３の密封部材３３によって密封され遮断されるように、制御バルブ３の密封部材３３によって部分的にカバーされ、一方、水入口１１ｂの比較的小きい部分は、制御バルブ３のバルブ開口部分３４と連通して、バルブ開口部分３４に入る水量が低減する。したがって、結果的に、比較的小さい量の水が、入口チャネル１１ａから、バルブ開口部分３４へ、出口チャネル１２ａへ、そしてノズル穴１３１へと流れるように案内される。それに応じて、水は、小型放射状噴霧モードで噴霧するように案内される。
【００３０】
図１１に示されているように、制御ユニット２が、傾斜案内スロット５２１の第４の案内領域５２１ｄにプッシャ部材３５を摺動するように作動されたとき、作動部材５は後方に駆動されて、それの先頭部分５１１は、作動部材５の先頭部分５１１がノズル１３２のノズルチャネル１３２ｃ中に移動される位置においてノズル１３２から後方へ移動される。言い換えれば、作動部材５の先頭部分５１１は、ノズル１３２のノズルチャネル１３２ｃから突出されない。同時に、制御バルブ３の密封部材３３はすでに移動されて水入口１１ｂは完全に開かれており、したがって、水入口１１ｂは完全に開いた状態にある。したがって、水は、結果的に、入口チャネル１１ａから、バルブ開口部分３４へ、出口チャネル１２ａへ、そしてノズル穴１３１へと流れるように案内される。水は、次いで、作動部材５の先頭部分５１１とノズル１３２との間のギャップを通って水分配装置から噴霧するように案内される。それに応じて、水は、直線噴霧モードで噴霧するように案内される。
【００３１】
図面に示され上記で説明した本発明の実施形態は、例示にすぎず、限定するものではないことを当業者は理解されよう。
【００３２】
このようにして、本発明の目的は、十分に及び効果的に達成されていることがわかるであろう。実施形態は、本発明の機能的及び構造的原理を示すために図示及び説明したものであり、そのような原理からの逸脱なしに変更が可能である。したがって、本発明は、以下の特許請求の範囲の趣旨及び範囲内に包含されるすべての修正形態を含む。
【図１】
0006277533.tif 000002
【図２】
0006277533.tif 000003
【図３】
0006277533.tif 000004
【図４】
0006277533.tif 000005
【図５】
0006277533.tif 000006
【図６】
0006277533.tif 000007
【図７】
0006277533.tif 000008
【図８】
0006277533.tif 000009
【図９】
0006277533.tif 000010
【図１０】
0006277533.tif 000011
【図１１】
0006277533.tif 000012